(57)【要約】【課題】  ドライバーが車内に持込んだ携帯電話機を使用して通話する場合に、通信モジュール内蔵型車載端末装置に搭載しているハンズフリー機能を用いてハンズフリー通話を可能にする。【解決手段】  無線通信手段１０１と、無線通信手段の発着信操作を行う操作手段１０６と、音声入力手段１０７と、音声出力手段１０８と、無線通信手段１０１からの入出力音声信号を制御し音声入力手段と音声出力手段を入出力制御する通話制御手段と、操作手段１０６からの入力により無線通信手段の制御を行う制御手段１０５を備え、携帯電話機と接続する外部携帯電話接続手段１０２と、携帯電話機もしくは無線通信手段１０１のいずれかを通話制御手段に入出力するように切替える音声切替手段１０４を備え、無線通信手段１０１と外部携帯電話接続手段１０２に接続した携帯電話機のいずれを用いた場合も、受話器を持たずに音声通話を可能とする。【選択図】        図２
2007006211.tif 000002
【特許請求の範囲】
【請求項１】
少なくとも音声通話が可能な無線通信手段と、該無線通信手段の発着信操作を行う操作手段と、音声入力手段と、音声出力手段と、利用者が受話器を持たずに音声通話が可能となるように該無線通信手段からの入出力音声信号を制御し該音声入力手段と該音声出力手段へ入出力制御する通話制御手段と、該操作手段からの入力により該無線通信手段の制御を行う制御手段を備え、
携帯電話機と接続して音声発着信制御を行う制御コマンド及び音声信号の入出力を行う外部携帯電話接続手段と、該外部携帯電話接続手段に接続した携帯電話機もしくは該無線通信手段から入出力される音声信号のいずれかを該通話制御手段に入出力するように切替える音声切替手段を備え、該無線通信手段と該外部携帯電話接続手段に接続した携帯電話機のいずれを用いた場合も、受話器を持たずに音声通話を可能とすることを特徴とする車載端末装置。
【請求項２】
請求項１記載の車載端末装置において、
前記外部携帯電話接続手段に接続した携帯電話機が着信したとき、前記制御手段は、前記外部携帯電話接続手段経由で携帯電話機の着信検出通知コマンドを受信し、前記音声切替手段により、前記外部携帯電話接続手段と前記通話制御手段とが接続するように切替えることを特徴とする車載端末装置。
【請求項３】
少なくとも音声通話が可能な無線通信手段と、該無線通信手段の発着信操作を行う操作手段と、該操作手段からの入力により該無線通信手段の制御を行う制御手段と、該操作手段により発信操作を行う場合の発信先電話番号を格納する記録手段と、携帯電話機と接続して音声発着信制御コマンド及び前記携帯電話機に記録されている電話番号情報を取得する制御コマンド及び音声信号の入出力を行う外部携帯電話接続手段とを備え、
前記外部携帯電話接続手段に接続した携帯電話機の液晶ディスプレイに表示した電話番号情報を前記外部携帯電話接続手段経由で取得し、前記操作手段による発信処理時の発信先電話番号として前記記録手段に記録するように動作することを特徴とする車載端末装置。
【請求項４】
請求項１記載の車載端末装置において、
前記無線通信手段の使用中に前記外部携帯電話接続手段に接続している携帯電話機に着信が入ったときに、発信元電話番号情報を含む着信履歴情報を取得し格納する着信情報記録手段と、該無線通信手段を用いた音声通話の切断後、該着信情報記録手段に記録した着信履歴を音声データに合成し前記音声出力手段に出力する音声合成手段とを備えることを特徴とする車載端末装置。
【請求項５】
請求項１記載の車載端末装置において、
前記外部携帯電話接続手段に接続した携帯電話機に保留音を出力する保留音出力手段を備え、該外部携帯電話接続手段に接続した携帯電話機の使用中に前記無線通信手段に着信が入った場合、前記音声切替手段を該無線通信手段と前記通話制御手段を接続するように切替え、該外部携帯電話接続手段に接続している携帯電話機に該保留音出力手段から保留音声を出力するように動作することを特徴とする車載端末装置。
【請求項６】
少なくとも音声通話が可能な無線通信手段と、該無線通信手段の発着信操作を行う操作手段と、音声入力手段と、音声出力手段と、利用者が受話器を持たずに音声通話が可能となるように該無線通信手段からの入出力音声信号を制御し該音声入力手段と該音声出力手段へ入出力制御する通話制御手段と、該操作手段からの入力により該無線通信手段の制御を行う制御手段と、携帯電話機と接続して音声発着信を行う制御コマンド及び音声信号の入出力を行う外部携帯電話接続手段と、該外部携帯電話接続手段に接続する携帯電話機の電話番号を記録する登録手段と、該外部携帯電話接続手段に接続する携帯電話機もしくは該無線通信手段から入出力される音声信号のいずれかを該通話制御手段に入出力するように切替える音声切替手段を備えた車載端末装置であって、
前記車載端末装置の起動時に該登録手段に登録した電話番号の携帯電話機が該外部携帯電話接続手段に接続されていないことを検出すると、前記携帯電話機への着信を該無線通信手段に転送するよう設定することを特徴とする車載端末装置。
【請求項７】
請求項６記載の車載端末装置において、
前記携帯電話機への着信を前記無線通信手段に転送設定している場合は、自装置の動作終了時に前記携帯電話機の着信転送設定を解除するように動作することを特徴とする車載端末装置。
【発明の詳細な説明】
【技術分野】
【０００１】
本発明は、音声通話機能を有する無線通信モジュールを搭載した車載端末装置に関し、特に受話器を持たずに通話が可能なハンズフリー通話に対応した車載端末装置に係わる。
【背景技術】
【０００２】
従来、自動車内で携帯電話機を用いて音声通話を行う場合、端末機の受話器を手に取ることなく通話が可能なハンズフリー装置やマイクとヘッドホンが一体化したヘッドセットが用いられている。自動車内で携帯電話機をハンズフリー装置に接続して使用する場合、ハンズフリー装置に搭載されている操作釦を押下することで携帯電話機の発着信機能を代行する方法が提案されている（例えば、特許文献１参照）。
【０００３】
また、自動車を運転中の事故や急病などの緊急時の連絡及び、ホテルの予約、駐車場情報などの周辺情報の取得をサービスセンタに接続して行うテレマティクスサービスの利用に車載端末装置が利用されている。この車載端末装置には、ドライバーが車内に持込む携帯電話機を通信装置として使用するタイプと、専用通信モジュールを搭載するタイプが現在使用されている。図１８は、専用通信モジュールを搭載する車載端末装置内部構成の一例を示す図であり、１８０１は音声通話やメールの送受信及びデータ通信を無線で行う内蔵携帯電話部、１８０２は受話器を持たずに通話が可能なハンズフリー通話を提供するハンズフリー装置部、１８０３は操作部１８０４からの要求に応じて車載端末装置の制御を行う車載端末制御部、１８０４は発信処理、着信処理などユーザが車載端末装置１８００の操作を行う操作部、１８０５はマイクなどの音声入力部、１８０６はスピーカなどの音声出力部である。ユーザは、操作部１８０４からの入力操作により、内蔵携帯電話部１８０１からサービスセンタに接続してオペレータと音声通話を行う。また、サービスセンタとデータ通信接続して必要な周辺情報などをダウンロードすることができる。
【特許文献１】特開２００４−１３４９７７号公報
【発明の開示】
【発明が解決しようとする課題】
【０００４】
車内に持込んだ携帯電話機を用いて通話を行う場合、運転中は受話器を持った通話は法令で禁止されているため、別途ハンズフリー装置を用意しなければならない。上記専用通信モジュール内蔵型車載端末装置の場合、ドライバーは車載端末装置に内蔵した専用通信モジュールを使用してハンズフリー通話が行える。しかし、専用通信モジュールには専用の電話番号が割当てられているため、車外で使用している携帯電話や、自宅の固定電話の電話番号とは異なる。そのため運転中のドライバーがハンズフリー通話を行うためには、発信先からドライバーの携帯電話ではなく専用通信モジュールに割当てられた電話番号に発信してもらう必要がある。また、専用モジュール側からの発信の場合、相手先には携帯電話や固定電話とは別の電話番号が通知される。以上の通り、ドライバーが運転中か否かで発信者は発信電話番号を切替えて使用しなければいけないという問題がある。
また上記特許文献１では、ハンズフリー装置の発信用操作釦を押下時に発信する電話番号を、付属のタッチパネルを使用してメモリに記録する方法について紹介されている。しかし、タッチパネルなどの表示装置を搭載しないハンズフリー装置を使用する場合は、指定の番号を発信釦に割り当てできないという問題がある。
【０００５】
本発明の目的は、ドライバーが車内に持込んだ携帯電話機を使用して通話する場合に、通信モジュール内蔵型車載端末装置に搭載しているハンズフリー機能を用いてハンズフリー通話を可能にすることである。また、表示装置を搭載しない車載端末装置に具備した操作釦に、持込んだ携帯電話機に記憶している特定のダイヤル番号を割当てる方法を提供することで、ドライバーが操作釦をワンタッチするだけで特定のダイヤル番号に発信可能にすることである。
【課題を解決するための手段】
【０００６】
上記課題を解決する為に、第１の本発明の車載端末装置は、少なくとも音声通話が可能な無線通信手段と、該無線通信手段の発着信操作を行う操作手段と、音声入力手段と、音声出力手段と、利用者が受話器を持たずに音声通話が可能となるように該無線通信手段からの入出力音声信号を制御し該音声入力手段と該音声出力手段へ入出力制御する通話制御手段と、該操作手段からの入力により該無線通信手段の制御を行う制御手段を備え、携帯電話機と接続して音声発着信制御を行う制御コマンド及び音声信号の入出力を行う外部携帯電話接続手段と、該外部携帯電話接続手段に接続した携帯電話機もしくは該無線通信手段から入出力される音声信号のいずれかを該通話制御手段に入出力するように切替える音声切替手段を備え、該無線通信手段と該外部携帯電話接続手段に接続した携帯電話機のいずれを用いた場合も、受話器を持たずに音声通話を可能とする車載端末装置であり、無線通信手段を使用した通話と、外部携帯電話接続手段に接続した携帯電話機を使用した通話のいずれの場合でも通話制御手段を用いたハンズフリー通話が可能となる。
【０００７】
第２の本発明の車載端末装置は、第１の本発明の車載端末装置と同じ構成に加えて、前記外部携帯電話接続手段に接続した携帯電話機が着信したとき、前記制御手段は、前記外部携帯電話接続手段経由で携帯電話機の着信検出通知コマンドを受信し、前記音声切替手段により、前記外部携帯電話接続手段と前記通話制御手段とが接続するように切替える車載端末装置であり、通話時の接続切り替えを自動で行うことが可能となる。
【０００８】
第３の本発明の車載端末装置は、少なくとも音声通話が可能な無線通信手段と、該無線通信手段の発着信操作を行う操作手段と、該操作手段からの入力により該無線通信手段の制御を行う制御手段と、該操作手段により発信操作を行う場合の発信先電話番号を格納する記録手段と、携帯電話機と接続して音声発着信制御コマンド及び前記携帯電話機に記録されている電話番号情報を取得する制御コマンド及び音声信号の入出力を行う外部携帯電話接続手段とを備え、前記外部携帯電話接続手段に接続した携帯電話機の液晶ディスプレイに表示した電話番号情報を前記外部携帯電話接続手段経由で取得し、前記操作手段による発信処理時の発信先電話番号として前記記録手段に記録するように動作する車載端末装置であり、外部携帯電話接続手段に接続した携帯電話機に記録されている電話番号を車載端末装置の発信先として登録することが可能になる。
【０００９】
第４の本発明の車載端末装置は、第１の本発明の車載端末装置と同じ構成に加えて、前記無線通信手段の使用中に前記外部携帯電話接続手段に接続している携帯電話機に着信が入ったときに、発信元電話番号情報を含む着信履歴情報を取得し格納する着信情報記録手段と、該無線通信手段を用いた音声通話の切断後、該着信情報記録手段に記録した着信履歴を音声データに合成し前記音声出力手段に出力する音声合成手段とを備える車載端末装置であり、外部携帯電話接続手段に接続した携帯電話機を使用して通話中に無線通信手段に着信が入った場合でも音声切替手段を切替えて通話を行うことが可能になる。
【００１０】
第５の本発明の車載端末装置は、第１の本発明の車載端末装置と同じ構成に加えて、前記外部携帯電話接続手段に接続した携帯電話機に保留音を出力する保留音出力手段を備え、該外部携帯電話接続手段に接続した携帯電話機の使用中に前記無線通信手段に着信が入った場合、前記音声切替手段を該無線通信手段と前記通話制御手段を接続するように切替え、該外部携帯電話接続手段に接続している携帯電話機に該保留音出力手段から保留音声を出力するように動作する車載端末装置であり、無線通信手段で通話中に、外部携帯電話接続手段に接続した携帯電話機に着信が入った場合でも無線通信手段での通話終了後に操作することなく着信情報を取得することが可能となる。
【００１１】
第６の本発明の車載端末装置は、少なくとも音声通話が可能な無線通信手段と、該無線通信手段の発着信操作を行う操作手段と、音声入力手段と、音声出力手段と、利用者が受話器を持たずに音声通話が可能となるように該無線通信手段からの入出力音声信号を制御し該音声入力手段と該音声出力手段へ入出力制御する通話制御手段と、該操作手段からの入力により該無線通信手段の制御を行う制御手段と、携帯電話機と接続して音声発着信を行う制御コマンド及び音声信号の入出力を行う外部携帯電話接続手段と、該外部携帯電話接続手段に接続する携帯電話機の電話番号を記録する登録手段と、該外部携帯電話接続手段に接続する携帯電話機もしくは該無線通信手段から入出力される音声信号のいずれかを該通話制御手段に入出力するように切替える音声切替手段を備えた車載端末装置であって、前記車載端末装置の起動時に該登録手段に登録した電話番号の携帯電話機が該外部携帯電話接続手段に接続されていないことを検出すると、前記携帯電話機への着信を該無線通信手段に転送するよう設定する車載端末装置であり、携帯電話機の車への持込みを忘れた場合でも、携帯電話機の着信は車載端末装置に転送され通話が可能となる。
【００１２】
第７の本発明の車載端末装置は、第６の本発明の車載端末装置と同じ構成に加えて、前記携帯電話機への着信を前記無線通信手段に転送設定している場合は、自装置の動作終了時に前記携帯電話機の着信転送設定を解除するように動作する車載端末装置であり、ドライバーが運転中以外は持込携帯電話機の転送切替えを自動で行うことが可能となる。
【発明の効果】
【００１３】
本発明により、通信モジュール内蔵型車載端末装置に外部携帯電話機を接続し、内蔵通信モジュール及び外部携帯電話機のいずれを用いた場合でもハンズフリー通話が可能となる。また、通信モジュール内蔵型車載端末装置の操作釦に外部携帯電話機に記憶されているアドレス情報の中から指定した電話番号を容易に割当てることが可能になる。また、内蔵通信モジュール及び外部携帯電話機のいずれかで通話中に他方に着信した場合でも、切替接続、もしくは通話後の着信先確認が可能となる。また、外部接続用の携帯電話機を車内に持ち込まなかった場合でも内蔵通信モジュールに着信転送して通話が可能となる。
【発明を実施するための最良の形態】
【００１４】
本発明を実施するための最良の形態を説明する。
本発明の車載端末装置の実施例を、図面によって説明する。
【実施例１】
【００１５】
実施例１を説明する。図１は、本発明の車載端末装置を使用する場合のシステム全体構成の一例を示した図であり、１００は車載端末装置、２００はドライバー４００が所持し自動車３００に持込む携帯電話機、３００は車載端末装置１００を搭載する自動車、４００は自動車３００を運転するドライバー、５００は交通事故や故障など自動車３００で発生した場合にドライバー４００が連絡し内容に応じた対応処理を行う緊急サービスセンタ、６００は駐車情報や交通情報、周辺情報などドライバー４００が取得したい情報を提供する情報サービスセンタ、７００は緊急サービスセンタ５００、情報サービスセンタ６００と自動車３００に設置した車載端末装置１００を無線通信で接続する無線ネットワークである。
【００１６】
図２は、車載端末装置１００の内部構成を示す図であり、１０１は音声通話やメールの送受信及びデータ通信を無線で行う内蔵携帯電話部、１０２は携帯電話機２００を車載端末装置１００と接続し音声信号や携帯電話機２００の発着信制御などを行う制御データの送受信を行う外部携帯接続部、１０３は内蔵携帯電話部１０１もしくは外部携帯接続部１０２に接続した携帯電話機からの入出力音声信号を制御し音声入力部１０７と音声出力部１０８へ入出力制御を行うことで受話器を持たずに通話が可能なハンズフリー通話を提供するハンズフリー装置部、１０４はハンズフリー装置部１０３を内蔵携帯電話部１０１と外部携帯接続部１０２のいずれかに接続する音声切替スイッチ、１０５は操作部１０６からの要求処理や、外部携帯接続部１０２を介して携帯電話機２００と制御データの送受信処理、及び音声切替スイッチ１０４の制御を行う車載端末制御部、１０６は発信処理、着信処理など車載端末装置１００の操作を行う操作部、１０７はマイクなどの音声入力部、１０８はスピーカなどの音声出力部である。
【００１７】
図３は、車載端末装置１００の操作部１０６の内部構成を示す図であり、１０６１は着信時の接続及び通話中の切断に使用する通話／終話ボタン、１０６２は発信先１への発信要求を行う発信１ボタン、１０６３は発信先２への発信要求を行う発信２ボタン、１０６４は発信先３への発信要求を行う発信３ボタンである。このように、操作部１０６は、発信用ボタン３種類と通話接続・切断用ボタンの４種のボタンで構成する。各ボタンが押下されると、車載端末制御部１０５がこれを検出する。
【００１８】
図４は、車載端末装置１００の車載端末制御部１０５の内部構成を示す図であり、１０５１は自動車３００に搭載されているエアバッグやセンサーなどが作動したことを検出する緊急状態検出部、１０５２は操作部１０６で押下されたボタン情報を取得する操作ボタン検出部、１０５３は発信１ボタン１０６２、発信２ボタン１０６３、発信３ボタン１０６４に割当てられている発信先の電話番号情報を記憶しておく電話番号情報記憶部、１０５４は外部携帯接続部１０２に接続された携帯電話機２００の発着信やメールの送受信、アドレス帳情報の送受信制御等を行う外部携帯制御部、１０５５は内蔵携帯電話部１０１の発着信やメールの送受信、データ通信制御を行う内蔵携帯電話制御部、１０５６は自動車３００の位置情報を取得するＧＰＳを搭載した位置情報取得部、１０５７は外部携帯制御部１０５４や内蔵携帯電話制御部１０５５に着信が入った場合にハンズフリー装置部１０３を介して音声出力部１０８から着信表示音を出力する着信表示部、１０５８は車載端末制御部１０５全体の制御を行う制御部である。
【００１９】
図１、図２、図３、及び図４を用いて上記車載端末装置１００の動作例を説明する。車載端末制御部１０５は、操作部１０６のボタン押下により特定の発信先へ接続するように動作する。発信１ボタン１０６２は緊急連絡先として緊急サービスセンタ５００への接続に使用し、発信２ボタン１０６３は情報提供を行う情報サービスセンタ６００への接続に使用する。発信３ボタン１０６４はドライバー４００が割当てた任意の電話番号への接続に使用する。発信１ボタン１０６２と発信２ボタン１０６３の押下により発信する発信先は固定でドライバー４００は自由に変更できない。一方、発信３ボタン１０６４の押下により発信する発信先はドライバー４００が変更可能である。
【００２０】
例えば交通事故発生時にドライバー４００が発信１ボタン１０６２を押下した場合や、緊急状態検出部１０５１でエアバッグやセンサーが作動したことを検出した場合、制御部１０５８は自動車３００の位置情報を位置情報取得部１０５６から取得し内蔵携帯電話制御部１０５５から内蔵携帯電話部１０１に対し緊急サービスセンタ５００へ発信するように要求する。緊急サービスセンタ５００と車載端末装置１００との接続が完了すると、制御部１０５８は発信要因と位置情報を緊急サービスセンタ５００へ送信することで状況を通知する。またドライバー４００は、緊急サービスセンタ５００のオペレータとハンズフリー装置部１０３を用いて音声通話を行い、状況を通知することができる。
【００２１】
ドライバー４００が駐車情報や交通情報などの周辺情報を取得したい場合は、発信２ボタン１０６３を押下し、情報サービスセンタ６００へ接続する。発信２ボタン１０６３が押下されたことを操作ボタン検出部１０５２が検出すると、これを受けて制御部１０５８は内蔵携帯電話制御部１０５５から内蔵携帯電話部１０１に対し情報サービスセンタ６００へ発信するように要求する。情報サービスセンタ６００と接続が完了すると、ドライバー４００は情報サービスセンタ６００のオペレータとハンズフリー装置部１０３を用いて音声通話を行い、周辺情報を取得することができる。
【００２２】
図５は、携帯電話装置２００の内部構成を示す図であり、２０１は液晶ディスプレイ等の表示部、２０２は電話番号情報を格納している電話帳情報部、２０３は通話やデータ通信を行うための無線通信部、２０４は携帯電話装置２００を操作する操作部、２０５は携帯電話装置２００の音声通話処理、データ通信処理を行う携帯電話制御部、２０６は車載端末装置１００と接続し音声信号、制御データを送受信する外部接続部である。
【００２３】
図６は、車載端末装置３００に接続した携帯電話装置２００を用いて音声通話を行う場合のシーケンス図である。
【００２４】
図１、図２、図３、図４、図５及び図６を用いて車載端末装置３００に携帯電話装置２００を接続し、携帯電話装置２００を用いたハンズフリーで音声通話を行う場合の動作について説明する。ドライバー４００は、自動車３００に持込んだ携帯電話機２００を、外部接続部２０６を介して外部携帯接続部１０２に接続することで車載端末装置１００と接続する（Ｓ６０１）。外部から携帯電話機２００に着信が入ると（Ｓ６０２）、携帯電話機２００は、外部接続部２０６から車載端末装置１００に着信通知情報を送信する（Ｓ６０３）。車載端末装置１００では、外部携帯接続部１０２を経由し外部携帯制御部１０５４が着信通知情報を受信し制御部１０５８に送信すると、制御部１０５８は音声切替スイッチ１０４を外部携帯接続部１０２とハンズフリー装置部１０３を接続するように切替える（Ｓ６０４）。また、制御部１０５８は着信表示部１０５７に着信表示音を出力するように要求すると、ハンズフリー装置部１０３を介し音声出力部１０８から着信表示音が出力される。ドライバー４００は、これを受けて着信接続を行うために通話／終話ボタン１０６１を押下すると（Ｓ６０５）、操作ボタン検出部１０５２がこれを検出し制御部１０５８へ送信する。制御部１０５８は、外部携帯電話制御部１０５４に回線接続要求を送信すると、外部携帯電話制御部１０５４は、外部携帯接続部１０２を介し携帯電話機２００に回線接続要求コマンドを送信する（Ｓ６０６）。携帯電話機２００では、携帯電話制御部２０５が外部接続部２０６を介し回線接続要求コマンドを受信すると、無線通信部２０３に対し回線接続要求を行う（Ｓ６０７）。携帯電話機２００の回線接続処理が完了すると、車載端末装置１００に搭載のハンズフリー装置部１０３を使用したハンズフリーでの音声通話が可能になる（Ｓ６０８）。ドライバー４００が通話を終了する場合は、通話／終話ボタン１０６１を押下する（Ｓ６０９）。操作ボタン検出部１０５２がこれを検出し制御部１０５８に通知すると、制御部１０５８は音声切替スイッチ１０４を内部携帯電話部１０１側に切替え（Ｓ６１０）、外部携帯制御部１０５４に回線切断要求を出力する。外部携帯制御部１０５４は、外部携帯接続部１０２を介し携帯電話機２００に回線切断要求コマンドを送信する（Ｓ６１１）。携帯電話機２００の携帯電話制御部２０５が外部接続部２０６を介して回線切断要求コマンドを受信すると、無線通信部２０３に対し回線切断要求を行い回線切断する（Ｓ６１２）。
【００２５】
このように、車載端末装置１００に接続した携帯電話機２００に外部から着信が入った場合、車載端末装置１００が音声切替スイッチ１０４を外部携帯電話接続部１０２側に切替えることで、ドライバー４００はハンズフリー装置部１０３を携帯電話機２００のハンズフリー装置として使用することが可能となる。
【００２６】
なお、本実施例では、操作部１０６に設けた操作ボタンは４種類としたが特にこれに限定するものではない。また、本実施例で車載端末装置１００の外部携帯接続部１０２に携帯電話機２００を接続する場合の接続方法については、ＵＳＢ（Ｕｎｉｖｅｒｓａｌ  Ｓｅｒｉａｌ  Ｂｕｓ）ケーブルや専用シリアルケーブルなど有線接続する場合や、Ｂｌｕｅｔｏｏｔｈ、ＵＷＢ（Ｕｌｔｒａ  Ｗｉｄｅ  Ｂａｎｄ）、無線ＬＡＮ（ＩＥＥＥ８０２．１１ｂ，１１ａ，１１ｇ）などの無線接続方式で接続することを想定している。
【実施例２】
【００２７】
本発明の車載端末装置の第二の実施例を図面によって説明する。図７は、車載端末装置１００の発信３ボタン１０６４に任意の電話番号を設定する場合のシーケンス図である。
【００２８】
図８は、車載端末装置１００の車載端末制御部１０５が管理する電話番号情報記憶部１０５３に記録されている操作部１０６の各発信ボタンに割り付けられた電話番号情報リストである。
【００２９】
図９は、車載端末装置１００の発信３ボタン１０６４を押下時に発信する電話番号として登録する電話番号情報を携帯電話機２００の表示部２０１に表示した場合の画面例である。
【００３０】
図１、図２、図３、図４、図５、図７、図８及び図９を用いて車載端末装置１００の発信３ボタン１０６４を押下時に発信する電話番号に、携帯電話装置２００の電話帳情報部２０２に登録されている任意の電話番号を設定する動作について説明する。ドライバー４００は、自動車３００に持込んだ携帯電話機２００を、外部接続部２０６を介して外部携帯接続部１０２に接続することで車載端末装置１００と接続する（Ｓ７０１）。携帯電話機２００の電話帳情報部２０２に登録されている電話番号の中から、発信３ボタン１０６４押下時に発信する電話番号を選択し、図９のように表示部２０１に表示する（Ｓ７０２）。携帯電話制御部２０５は、外部接続部２０６を介して登録する電話番号を選択表示していることを車載端末装置１００へ送信する（Ｓ７０３）。外部携帯接続部１０２を介し外部携帯制御部１０５４がこれを受信すると制御部１０５８は電話番号登録モードへ移行する（Ｓ７０４）。その後、ドライバー４００が発信３ボタン１０６４を長押し（例えば５秒間連続）すると（Ｓ７０５）、制御部１０５８は外部携帯制御部１０５４に現在表示している電話番号情報の取得要求を行う。外部携帯制御部１０５４は外部携帯接続部１０２を介し携帯電話機２００に表示中電話番号情報要求コマンドを送信する（Ｓ７０６）。携帯電話装置２００では、外部接続部２０６を介して携帯電話制御部２０５が表示中電話番号情報要求コマンドを受信すると、現在表示部２０１に表示中の電話番号情報を電話帳情報部２０２から取得し（Ｓ７０７）、外部接続部２０６を介して車載端末装置１００に送信する（Ｓ７０８）。車載端末装置１００では、外部携帯接続部１０２を介して外部携帯制御部１０５４が表示中電話番号情報を受信すると、制御部１０５８は発信３ボタン１０６４押下時用発信番号として、図８の通り電話番号と発信先名称を電話番号情報記憶部１０５３に記録する（Ｓ７０９）。以後、車載端末装置１００で発信３ボタン１０６４が押下された場合、制御部１０５８は、電話番号情報記憶部１０５３に記録した発信３ボタン用の電話番号に発信するように内蔵携帯電話部１０１もしくは外部携帯接続部１０２を介して携帯電話機２００を制御する。
【００３１】
このように、ドライバー４００が自動車３００に持込んだ携帯電話機２００の電話帳情報部２０２と表示部２０１を用いることで、表示装置を搭載しない車載端末装置１００の操作ボタンに任意の電話番号を割り付けることが可能となる。なお、本実施例は、上述した機能を有する携帯電話機を対象とする。
【実施例３】
【００３２】
本発明の車載端末装置の第三の実施例を図面によって説明する。図１０は、車載端末装置１００の内蔵携帯電話部１０１を用いて情報サービスセンタ６００と通話中に、携帯電話機２００に着信が入った場合の車載端末装置１００の動作シーケンス図である。
【００３３】
図１１は、車載端末装置１００の車載端末制御部１０５の内部構成を示す図であり、１０５１から１０５８は図４の車載端末制御部１０５と同じである。１０５９は内蔵携帯電話部１０１が通話中に、外部携帯接続部１０２から携帯電話機２００の着信情報を受信した場合に携帯電話機２００から受信した着信情報（発信元電話番号）を記録する着信情報記録部、１０６０は着信情報記録部１０５９に記録した着信情報を音声データに合成しハンズフリー装置部１０３に出力する音声合成部である。
【００３４】
図１２は、車載端末装置１００の車載端末制御部１０５が管理する電話番号情報記憶部１０５３に記録されている電話番号情報リストで、操作部１０６の各発信ボタンに割り付けた電話番号情報である。
【００３５】
図１、図２、図３、図５、図１０、図１１、及び図１２を用いて、車載端末装置１００の内蔵携帯電話部１０１から情報サービスセンタ６００と通話中に、携帯電話機２００に着信が入った場合の車載端末装置１００の動作について説明する。図３の操作部１０６の各発信ボタンには、図１２に示したとおり発信先が割当てられている。さらに発信に使用する通信手段として、発信１ボタン１０６２と発信２ボタン１０６３押下時は内蔵携帯電話部１０１を使用し、発信３ボタン１０６４押下時は外部携帯接続部１０２に接続している携帯電話機２００を使用する。
【００３６】
車載端末装置１００の内蔵携帯電話部１０１を用いて情報サービスセンタ６００と通話中に（Ｓ１００１）、携帯電話機２００に着信が入ると（Ｓ１００２）、携帯電話機２００は発信元電話番号を含む着信通知情報を車載端末機１００に送信する（Ｓ１００３）。車載端末制御部１０５は、着信通知情報を着信情報記録部１０５９に記録する（Ｓ１００４）。その後、情報サービスセンタ６００との通話の切断処理が行われると（Ｓ１００５）、内蔵携帯電話部１０１から回線切断通知を車載端末制御部１０５の内蔵携帯電話制御部１０５５が受信する（Ｓ１００６）。これを受けて制御部１０５８は、先に着信情報記録部１０５９に記録した着信通知情報を読出し、音声合成部１０６０で音声データに変換した後、ハンズフリー装置部１０３から音声出力部１０８に出力する。
以上により、ドライバー４００が内蔵携帯電話部１０１を用いて情報サービスセンタ６００と通話中に入った携帯電話機２００への着信に、接続する事ができなかった場合でも、通話終了後に発信先を確認することが可能になる。
【００３７】
なお、本実施例では車載端末装置１００が情報サービスセンタ６００と通話中に携帯電話機２００に入った着信について説明したが、車載端末装置１００が緊急サービスセンタ５００と通話中の場合も同様に動作しても構わない。また、本実施例では、操作部１０６の各発信ボタンに対し図１２に示した通り、使用する通信手段を割当てたが、発信時の通信状況により制御部１０５８が、内蔵携帯電話部１０１か外部携帯接続部１０２を選択して発信制御を行うようにしても構わない。また、本実施例において内蔵携帯電話部１０１側の使用中に携帯電話機２００に着信が入った場合で説明したが、携帯電話機２００の使用中に内蔵携帯電話部１０１側に着信が入った場合も同様とすることができる。
【実施例４】
【００３８】
本発明の車載端末装置の第四の実施例を図面によって説明する。図１３は、車載端末装置１００に接続した携帯電話機２００を用いて自宅と通話中に、緊急サービスセンタ５００からの着信を検出した場合の車載端末装置１００の動作シーケンス図である。
【００３９】
図１４は、車載端末装置１００の内部構成を示す図であり、１０１から１０８は図２と同じ構成要素をなし、実施例１で説明した同じ動作を行う。１０９は車載端末装置１００に接続した携帯電話機２００を用いた通話を保留処理する場合に、携帯電話機２００に保留音を出力する保留音出力部である。
【００４０】
図１、図３、図５、図１３、及び図１４を用いて車載端末装置１００に接続した携帯電話機２００を用いて自宅と通話中に、緊急サービスセンタ５００からの着信を検出した場合の車載端末装置１００の動作について説明する。外部携帯電話接続部１０２に接続した携帯電話機５００を用いて自宅と通話中に（Ｓ１３０１）、緊急サービスセンタ５００から車載端末装置１００に発信処理が行われ（Ｓ１３０２）、内蔵携帯電話部１０１に着信が入る。内蔵携帯電話部１０１は、着信を検出すると車載端末制御部１０５に発信元電話番号を含む着信通知を車載端末制御部１０５に送信する（Ｓ１３０３）。これを受けて車載端末制御部１０５は、保留音出力部１０９に対し、外部携帯接続部１０２に接続した携帯電話機２００に保留音を出力するように制御を行い、音声切替スイッチ１０４を内蔵携帯電話部１０１側に切替える（Ｓ１３０４）。携帯電話機２００からは保留音が自宅電話機に送信される（Ｓ１３０５）。その後、車載端末制御部１０５は内蔵携帯電話制御部１０５５から内蔵携帯電話部１０１に着信要求を行う（Ｓ１３０６）。これを受けて内蔵携帯電話部１０１は着信処理を行い（Ｓ１３０７）、緊急サービスセンタ５００とハンズフリーでの音声通話が可能となる（Ｓ１３０８）。その後、緊急サービスセンタ５００との通話を切断すると（Ｓ１３０９）、内蔵携帯電話部１０１は回線切断通知を車載端末制御部１０５に送信する（Ｓ１３１０）。これを受けて車載端末制御部１０５は、保留音出力部１０９から出力中の保留音を停止し、音声切替スイッチ１０４を外部携帯接続部１０２側に切替え（Ｓ１３１１）、保留中の自宅との通話が復旧する（Ｓ１３１２）。
以上の動作を行うことにより、外部携帯電話接続部１０２に接続した携帯電話機２００を用いて通話中に、緊急サービスセンタ５００などから内蔵携帯電話部１０１に着信が入った場合に、携帯電話機２００側の通話を切断せずに、内蔵携帯電話部１０１側の着信に対応することが可能となり、内蔵携帯電話部１０１側の通話終了後に引き続き携帯電話機２００側の通話を続けることが可能となる。
【００４１】
なお、本実施例において携帯電話機２００の使用中に内蔵携帯電話部１０１側に着信が入った場合で説明したが、内蔵携帯電話部１０１側の使用中に携帯電話機２００に着信が入った場合も同様とすることができる。
【実施例５】
【００４２】
本発明の車載端末装置の第五の実施例を図面によって説明する。図１５は、本発明の車載端末装置を使用する場合のシステム全体構成の一例を示した図であり、１００から７００までの各部位は図１と同様の動作を行い、８００は携帯電話機２００の着信転送設定を行う携帯電話サービスセンタである。図１５では、図１において自動車３００内に存在した携帯電話機２００を無線ネットワーク７００で接続可能な遠隔地に存在する構成としている。
【００４３】
図１６は、車載端末装置１００の内部構成を示す図であり、各部は図２と同様の動作を行い、１１０は自動車３００のアクセサリー電源のＯＮ・ＯＦＦを検出し車載端末制御部１０５に通知するＡＣＣ検出部、１１１は外部携帯接続部１０２に接続する特定の携帯電話機の電話番号情報を予め記録しておく外部接続携帯電話情報部である。
【００４４】
図１７は、車載端末装置１００の外部携帯接続部１０２に携帯電話機２００が一定期間未接続の場合に、携帯電話機２００に入る着信を内蔵携帯電話部１０１に転送するように携帯電話サービスセンタ８００に設定する場合の車載端末装置１００の動作シーケンス図である。
【００４５】
図３、図５、図１５、図１６及び図１７を用いて、車載端末装置１００の外部携帯接続部１０２に携帯電話機２００が一定期間未接続の場合に、携帯電話機２００に入る着信を内蔵携帯電話部１０１に転送するように携帯電話サービスセンタ８００に設定する場合の車載端末装置１００の動作について説明する。ドライバー４００が、自動車３００のアクセサリー電源を起動すると、ＡＣＣ検出部１１０がこれを検出し車載端末制御部１０５に通知する（Ｓ１７０１）。車載端末制御部１０５は、一定時間（ｔ）外部携帯接続部１０２に外部接続携帯電話情報部１１１に記録した電話番号の携帯電話機２００が接続されないことを検出すると（Ｓ１７０２）、内蔵携帯電話部１０１から携帯電話サービスセンタ８００に回線接続し、携帯電話機２００に入る着信を内蔵携帯電話部１０１に転送するように転送設定要求を行う（Ｓ１７０３）。これを受けて、携帯電話サービスセンタ８００は、携帯電話機２００への着信を車載端末装置１００の内蔵携帯電話部１０１に転送するように設定し（Ｓ１７０４）、設定完了を車載端末制御部１０５に通知する（Ｓ１７０５）。以後携帯電話機２００に入った着信は、内蔵携帯電話部１０１に転送される。
【００４６】
また、自動車３００のアクセサリー電源を停止する場合は（Ｓ１７０６）、内蔵携帯電話部１０１から携帯電話サービスセンタ８００に回線接続し、携帯電話機２００の転送設定を解除するため着信転送解除設定要求を行う（Ｓ１７０７）。これを受けて、携帯電話サービスセンタ８００は、携帯電話機２００に設定した転送設定を解除し（Ｓ１７０８）、着信転送解除設定完了を車載端末制御部１０５に通知すると（Ｓ１７０９）、車載端末装置１００は停止する（Ｓ１７１０）。
以上の動作を行うことにより、ドライバー４００が携帯電話機２００を自動車３００への持込みを忘れた場合でも、携帯電話機２００に入った着信を自動車３００内で受信することが可能となる。
【００４７】
本実施例では、自動車３００のアクセサリー電源の起動を車載端末装置１００のＡＣＣ検出部１１０で検出する構成としたが、車載端末装置１００の電源を自動車３００のアクセサリー電源から供給する構成とし、車載端末装置１００の起動後から一定時間、外部携帯接続部１０２に外部接続携帯電話情報部１１１に記録した電話番号の携帯電話機２００が接続されないことを検出するよう動作しても構わない。
【００４８】
以上実施例で説明したように、本発明の車載端末装置を、運転中の事故や急病などの緊急時の連絡及び、ホテルの予約、駐車場情報などの周辺情報の取得をサービスセンタに接続してオペレータとハンズフリー通話により行うテレマティクスサービスに利用すれば、テレマティクスセンターのオペレータとの通話と、車内持込携帯電話機を使用した通話の両方でハンズフリー通話を行うことが可能になる。
【図面の簡単な説明】
【００４９】
【図１】実施例の車載端末装置を使用するシステム全体構成の一例の説明図。
【図２】実施例の車載端末装置の内部構成の一例を示した図。
【図３】実施例の車載端末装置における操作部の内部構成の一例を示した図。
【図４】実施例の車載端末装置における車載端末制御部の内部構成の一例を示した図。
【図５】実施例の車載端末装置に接続する携帯電話装置の内部構成の一例を示した図。
【図６】実施例の車載端末装置に接続した携帯電話装置を用いてハンズフリー通話を行う場合の動作シーケンスに一例の説明図。
【図７】実施例の車載端末装置の発信用ボタンに任意の電話番号を設定する場合のシーケンスの一例の説明図。
【図８】実施例の車載端末装置の車載端末制御部が管理する電話番号情報記憶部に記録されている各発信ボタンと電話番号情報リストの一例を説明する図表。
【図９】実施例の車載端末装置の発信ボタンに登録する電話番号として登録する電話番号を携帯電話機の表示部に表示した場合の一例を示した図。
【図１０】実施例の車載端末装置の内蔵携帯電話部を用いて通話中に、外部携帯電話機に着信が入った場合の動作シーケンスの一例の説明図。
【図１１】実施例の車載端末装置における車載端末制御部の内部構成の一例を示した図。
【図１２】実施例の車載端末装置の車載端末制御部が管理する電話番号情報記憶部に記録されている各発信ボタンと電話番号情報リストの一例を説明する図表。
【図１３】実施例の車載端末装置と接続した外部携帯電話機を用いて通話中に、内蔵携帯電話部に着信が入った場合の動作シーケンスの一例の説明図。
【図１４】実施例の車載端末装置の内部構成の一例を示した図。
【図１５】実施例の車載端末装置を使用する場合のシステム全体構成の一例を示した図。
【図１６】実施例の車載端末装置の内部構成の一例を示した図。
【図１７】実施例の車載端末装置に外部携帯電話機が未接続の場合、指定の携帯電話機の着信を内蔵携帯電話部に転送設定する場合の動作シーケンスの一例の説明図。
【図１８】従来例の内部構成を示した図。
【符号の説明】
【００５０】
１００  車載端末装置
１０１  内蔵携帯電話部
１０２  外部携帯接続部
１０３  ハンズフリー装置部
１０４  音声切替スイッチ部
１０５  車載端末制御部
１０６  操作部
１０７  音声入力部
１０８  音声出力部
１０９  保留音出力部
１１０  ＡＣＣ検出部
１１１  外部接続携帯電話情報部
２００  携帯電話装置
２０１  表示部
２０２  電話帳情報部
２０３  無線通信部
２０４  操作部
２０５  携帯電話制御部
２０６  外部接続部
３００  自動車
４００  ドライバー
５００  緊急サービスセンタ
６００  情報サービスセンタ
７００  無線ネットワーク
８００  携帯電話サービスセンタ
１０５１  緊急状態検出部
１０５２  操作ボタン検出部
１０５３  電話番号情報記憶部
１０５４  緊急状態検出部
１０５５  内蔵携帯電話制御部
１０５６  位置情報取得部
１０５７  着信表示部
１０５８  制御部
１０５９  着信情報記録部
１０６０  音声合成部
１０６１  通話／終了ボタン
１０６２  発信１ボタン
１０６３  発信２ボタン
１０６４  発信３ボタン
１８００  車載端末装置
１８０１  内蔵携帯電話部
１８０２  ハンズフリー装置部
１８０３  車載端末制御部
１８０４  操作部
１８０５  音声入力部
１８０６  音声出力部
【図１】
2007006211.tif 000003
【図２】
2007006211.tif 000004
【図３】
2007006211.tif 000005
【図４】
2007006211.tif 000006
【図５】
2007006211.tif 000007
【図６】
2007006211.tif 000008
【図７】
2007006211.tif 000009
【図８】
2007006211.tif 000010
【図９】
2007006211.tif 000011
【図１０】
2007006211.tif 000012
【図１１】
2007006211.tif 000013
【図１２】
2007006211.tif 000014
【図１３】
2007006211.tif 000015
【図１４】
2007006211.tif 000016
【図１５】
2007006211.tif 000017
【図１６】
2007006211.tif 000018
【図１７】
2007006211.tif 000019
【図１８】
2007006211.tif 000020